(57)【要約】【課題】エアコン室外機をブロック上に簡単に締結できるようにする。【解決手段】平面形状がほぼ長方形で内部が空洞の合成樹脂製ブロック１の長手方向における両端にエアコン室外機の下端部に設けられたブラケット７を受ける受け部６が形成され、この受け部６の上端板部８には受け部６の幅方向中央部で溝部９がブロック１の長手方向に向いて形成され、受け部６の上端板部８の内面には格子状のリブ１０が形成されており、前記溝部９には１つ割り状のワッシャ１１を下端の爪部１１ｂが前記リブ１０の下端に係合するように取り付け、ブラケット７の孔部７ａとワッシャ１１の孔部１１ｅとを位置決めした状態でブラケット７の上方からワッシャ１１にピン１２を打ち込むことによって筒状部１１ａの内径が押し広げられて筒状部１１ａとピン１２の軸部１２ｂとが強く圧接してブラケット７がブロック１の受け部６上に連結固定されるように構成した。【選択図】　　　　図９
2004020062.tif 000002
【特許請求の範囲】
【請求項１】
平面形状がほぼ長方形で内部が空洞の合成樹脂製ブロックの長手方向における両端にエアコン室外機の左右両側下端部に設けられたブラケットを受ける受け部が形成され、この受け部の上端板部には受け部の幅方向中央部で受け部の長手方向両端を除く範囲内で溝部がブロックの長手方向に向いて形成され、前記溝部を除く受け部の上端板部の内面には格子状のリブが形成されており、前記溝部には前記受け部で受けられる上端の板部と、この板部の孔部に繋がる下側の筒状部と、この筒状部の下端の爪部とを一体に備えた１つ割り状のワッシャを前記爪部が前記リブの下端に係合するように取り付け、前記ワッシャを溝部の適当な位置にスライドさせてブラケットの孔部とワッシャの孔部とを位置決めした状態でブラケットの上方からワッシャの筒状部に上端に頭部を有するピンの軸部を打ち込むことによって筒状部の内径が押し広げられて筒状部と軸部とが強く圧接して前記ブラケットがブロックの受け部上に連結固定されるように構成したことを特徴とするエアコン室外機の設置構造。
【請求項２】
ワッシャの筒状部の中心およびピンの軸部がブロックの受け部の上端板部の溝部の長手方向もしくは溝部の長手方向に対して直交する方向に僅かな傾斜角で傾斜するように構成したことを特徴とする請求項１記載のエアコン室外機の設置構造。
【発明の詳細な説明】
【０００１】
【発明の属する技術分野】
本発明は、エアコン室外機の設置構造に関するものである。
【０００２】
【従来の技術】
従来、エアコン室外機を受けて据え付けるときに使用されるブロックとしてはコンクリートブロックが一般に知られているが、コンクリートブロックは重量が重く、取り扱いが不便で、コストが高いという問題から、軽量で取り扱いが容易で安価な合成樹脂製のブロックの使用が増えている。
【０００３】
この合成樹脂製のブロックにはエアコン室外機を連結固定するためにボルトの頭部を係合させるための溝部がブロックの上面にブロックの長手方向端部より長手方向に形成されており、エアコン室外機設置作業時に前記溝部にボルトの頭部を係合させ、溝部から上方に突出したボルトの雄ねじ軸部をエアコン室外機の下端のブラケットの孔部に嵌め込み、かかる状態でボルトの雄ねじ軸部に上方よりナットを螺合させて締め付けている。
【０００４】
しかしながら、この設置構造ではエアコン室外機をブロックの上面に締結させるのにボルト、ナットが必要であり、ボルトの雄ねじ軸部に対するナットの締め付けが面倒で、作業性が悪いという問題があった。
【０００５】
【発明が解決しようとする課題】
本発明はこのような課題を解決するもので、エアコン室外機をブロック上に簡単に締結できるようにすることを目的とするものである。
【０００６】
【課題を解決するための手段】
この課題を解決するために本発明は、平面形状がほぼ長方形で内部が空洞の合成樹脂製ブロックの長手方向における両端にエアコン室外機の左右両側下端部に設けられたブラケットを受ける受け部が形成され、この受け部の上端板部には受け部の幅方向中央部で受け部の長手方向両端を除く範囲内で溝部がブロックの長手方向に向いて形成され、前記溝部を除く受け部の上端板部の内面には格子状のリブが形成されており、前記溝部には前記受け部で受けられる上端の板部と、この板部の孔部に繋がる下側の筒状部と、この筒状部の下端の爪部とを一体に備えた１つ割り状のワッシャを前記爪部が前記リブの下端に係合するように取り付け、前記ワッシャを溝部の適当な位置にスライドさせてブラケットの孔部とワッシャの孔部とを位置決めした状態でブラケットの上方からワッシャの筒状部に上端に頭部を有するピンの軸部を打ち込むことによって筒状部の内径が押し広げられて筒状部と軸部とが強く圧接して前記ブラケットがブロックの受け部上に連結固定されるように構成したことを要旨とするものである。また本発明は、ワッシャの筒状部の中心およびピンの軸部がブロックの受け部の上端板部の溝部の長手方向もしくは溝部の長手方向に対して直交する方向に僅かな傾斜角で傾斜するように構成したことを要旨とするものである。
【０００７】
この構成により、エアコン室外機をブロック上に載せて締結させるのにボルト、ナットを用いるような締め付けを必要とせず、ワッシャに対するピンの打ち込みにより簡単に締結することができる。特に、ワッシャの筒状部の中心およびピンの軸部がブロックの受け部の上端板部の溝部に対して僅かな傾斜角で傾斜するように構成することにより、エアコン室外機がブロック上から外れる方向、即ちピンがワッシャから抜け外れる方向に真上に力が掛かったときにピンがワッシャから抜け外れにくくなる。
【０００８】
【発明の実施の形態】
以下、本発明の実施の形態について、図面に基づいて説明する。
先ず、図１〜図１０に示す第１の実施の形態について説明すると、１は耐候性を有するポリエチレンなどの合成樹脂からなるエアコン室外機設置用のブロックで、このブロック１は側面形状がほぼ台形であり、また平面形状はほぼ長方形で内部が空洞となっており、下端両側が長手方向に沿って張り出している。２はこの張り出し部で、張り出し部２の長手方向には適当間隔おきにブロック１をアンカーボルトなどで地面に固定するためＵ字状に薄肉部３を持つ切り取り部４が形成されており、この薄肉部３を破ることにより図４に示すようなボルト貫通孔となる。
【０００９】
前記ブロック１の長手方向における中央部上端は高さが低く形成され、エアコン室外機５はブロック１の長手方向における両端の受け部６で受けられる。詳しくは、ブロック１は長手方向がエアコン室外機５の左右方向に対して直行する方向に向けられ、２つのブロック１によりエアコン室外機５の左右両側下端部が受けられ、エアコン室外機５の左右両側下端部に前後に張り出して設けられたブラケット７をブロック１の受け部６に連結されるようになっている。７ａはブラケット７の幅方向中央に形成された孔部である。前記ブロック１の受け部６の上端板部８にはブロック１の長手方向に向いて溝部９が形成されている。この溝部９は受け部６の幅方向中央部で受け部６の長手方向両端を除く範囲内で形成され、この溝部９を除く前記受け部６の上端板部８の内面において、格子の目の大きさが数ｍｍ平方の格子状のリブ１０が形成されている。１１は前記溝部９に筒状部１１ａが嵌り込み筒状部１１ａの下端の爪部１１ｂが格子状のリブ１０の下端に係合して取り付けられる合成樹脂製のワッシャで、筒状部１１ａの上端には前記受け部６の上面に載る板部１１ｃを一体に有している。そして、この板部１１ｃ、筒状部１１ａ、爪部１１ｂからなるワッシャ１１は縦方向に２分割されているが、前記上端の板部１１ｃ，１１ｃ間を周囲一箇所で繋ぎ片１１ｄによって繋いで１つ割り状となっている。なお、前記筒状部１１ａに繋がる上端の板部１１ｃの孔部１１ｅの周囲は後述するピンの打ち込み時の案内をするためにテーパー状に切除されている。１２は前記ワッシャ１１の筒状部１１ａ内に前記孔部１１ｅより打ち込まれる合成樹脂製のピンで、上端に板状の頭部１２ａを備え、この頭部１２ａから直角に下向きに突出する軸部１２ｂを備えている。このピン１２を前記受け部６の上端板部８の溝部９に取り付けられたワッシャ１１の筒状部１１ａに打ち込むことによって筒状部１１ａの内径が押し広げられるようになっている。
【００１０】
上記構成において、エアコン室外機５をブロック１の受け部６上に載せて据え付けるとき、エアコン室外機５の左右両側下端部が載る位置に予め左右一対のブロック１を位置させ、この一対のブロック１の受け部６上にエアコン室外機５の左右両側下端部のブラケット７を載せる。このとき、前記受け部６の上端板部８の溝部９には板部１１ｃが受け部６の上面に載るように予めワッシャ１１が取り付けられており、このワッシャ１１を溝部９の適当な位置にスライドさせてブラケット７の孔部７ａとワッシャ１１の孔部１１ｅとを位置決めし、この状態でブラケット７の上方からワッシャ１１の筒状部１１ａにピン１２の軸部１２ｂを打ち込むことによって筒状部１１ａの内径が押し広げられて筒状部１１ａと軸部１２ｂとが強く圧接し、ブラケット７がブロック１の受け部６上に連結固定されることになる。なお、このとき筒状部１１ａの押し広がりは筒状部１１ａの外面が溝部９の内面およびその下側のリブ１０に当接することによって抑えられる。ところで、本実施の形態においてブロック１の受け部６の上端板部８の内面のリブ１０はワッシャ１１の下端の爪部１１ｂを係合させることは前述の通りであるが、ブロック１の受け部６の補強機能も備えている。
【００１１】
次に、図１１に示す第２の実施の形態について説明すると、上記第１の実施の形態ではワッシャ１１の上端の板部１１ｃが受け部６の上面に載り板部１１ｃが受け部６の上面から突出するようにワッシャ１１が取り付けられているが、第２の実施の形態では上端板部８の溝部９の上端周囲に凹状の段部１３が形成されており、ワッシャ１１を受け部６に取り付けたときワッシャ１１の上端の板部１１ｃが段部１３に嵌入して板部１１ｃの上面と受け部６の上面とが面一状となるように構成されている。なお、この第２の実施の形態では受け部６の上端板部８の内面に溝部９を取り囲むように前記リブ１０よりも下方に突出する環状のリブ１４が形成されている。
【００１２】
さらに、図１２に示す第３の実施の形態について説明すると、この第３の実施の形態は前記第１の実施の形態の変形例であって、ワッシャ１１の筒状部１１ａの中心およびピン１２の軸部１２ｂが上端板部８の溝部９の長手方向に５度前後の僅かな傾斜角で傾斜するように構成されており、エアコン室外機５がブロック１上から外れる方向、即ちピン１２がワッシャ１１から抜け外れる方向に真上に力が掛かったときにピン１２がワッシャ１１から抜け外れにくくなっている。ワッシャ１１の筒状部１１ａの中心およびピン１２の軸部１２ｂが上端板部８の溝部９の長手方向に対して直交する方向に僅かな傾斜角で傾斜するように構成されていてもほぼ同様の効果が得られる。
【００１３】
ところで、上記実施の形態ではブロック１の長手方向における両端に受け部６が形成されて長手方向における中央部上端は高さが低く形成されているが、ブロック１の形状は特に限定されるものではない。
【００１４】
【発明の効果】
以上のように本発明によれば、エアコン室外機をブロック上に載せて締結させるのにボルト、ナットを用いるような締め付けを必要とせず、ワッシャに対するピンの打ち込みにより簡単に締結することができる。特に、ワッシャの筒状部の中心およびピンの軸部がブロックの受け部の上端板部の溝部に対して僅かな傾斜角で傾斜するように構成することにより、エアコン室外機がブロック上から外れる方向、即ちピンがワッシャから抜け外れる方向に真上に力が掛かったときにピンがワッシャから抜け外れにくくなる。
【図面の簡単な説明】
【図１】本発明の第１の実施の形態におけるエアコン室外機の設置用ブロックの斜視図である。
【図２】図１のＸ−Ｘ断面図である。
【図３】図１のＹ−Ｙ断面図である。
【図４】同薄肉部を破ってボルト貫通孔を形成した状態を示す要部斜視図である。
【図５】同エアコン室外機をブロック上に締結するためのピンおよびワッシャの斜視図である。
【図６】同ピンおよびワッシャによりエアコン室外機をブロック上に据え付ける作業時の状態を示す要部拡大斜視図である。
【図７】同ピンおよびワッシャによりエアコン室外機をブロック上に据え付けた状態を示す要部拡大斜視図である。
【図８】同ピンおよびワッシャによりエアコン室外機をブロック上に据え付けた状態を示す斜視図である。
【図９】同ピンおよびワッシャによりエアコン室外機をブロック上に据え付けた状態を示す要部拡大断面図である。
【図１０】同ピンおよびワッシャによりエアコン室外機をブロック上に据え付けた状態を示す要部拡大裏面図である。
【図１１】本発明の第２の実施の形態においてピンおよびワッシャによりエアコン室外機をブロック上に据え付けた状態を示す要部拡大断面図である。
【図１２】本発明の第３の実施の形態においてピンおよびワッシャによりエアコン室外機をブロック上に据え付けた状態を示す要部拡大断面図である。
【符号の説明】
１　　　ブロック
５　　　エアコン室外機
６　　　受け部
７　　　ブラケット
７ａ　　孔部
８　　　上端板部
９　　　溝部
１０　　　リブ
１１　　　ワッシャ
１１ａ　　筒状部
１１ｂ　　爪部
１１ｃ　　板部
１１ｄ　　繋ぎ片
１１ｅ　　孔部
１２　　　ピン
１２ａ　　頭部
１２ｂ　　軸部
１３　　　段部
【図１】
2004020062.tif 000003
【図２】
2004020062.tif 000004
【図３】
2004020062.tif 000005
【図４】
2004020062.tif 000006
【図５】
2004020062.tif 000007
【図６】
2004020062.tif 000008
【図７】
2004020062.tif 000009
【図８】
2004020062.tif 000010
【図９】
2004020062.tif 000011
【図１０】
2004020062.tif 000012
【図１１】
2004020062.tif 000013
【図１２】
2004020062.tif 000014